(57)【要約】  液晶表示装置（１）において、インバータ回路部（２０）は、複数の冷陰極型蛍光ランプ（１０１〜１０４）の内から一部を消灯する一部消灯状態と、全てを点灯する全点灯状態とを選択的に切り替える。また、信号変換部（４０）は、外部から供給される表示情報に基づき液晶表示部（３０）に画像を表示させる表示信号を生成し、且つ、一部消灯状態に応じて表示信号の輝度情報を補正する。制御部（５０）は、外部から供給される輝度設定情報に基づく輝度情報が予め定められた閾値よりも低い値である場合に、インバータ回路部（２０）と信号変換部（４０）を一部消灯状態に移行させる。
2011086590.tif 000002
【特許請求の範囲】
【請求項１】
複数の冷陰極型蛍光ランプを有する光源部と、
前記光源部からの光を変調して画像を表示する液晶表示部と、
前記光源部に供給する電力を生成するとともに、前記複数の冷陰極型蛍光ランプの内から一部の冷陰極型蛍光ランプを消灯する一部消灯状態と、全てを点灯する全点灯状態とを選択的に切り替え、前記光源部を駆動するインバータ回路部と、
外部から供給される表示情報に基づき前記液晶表示部に前記画像を表示させる表示信号を生成し、且つ、前記一部消灯状態に応じて前記表示信号の輝度情報を補正する信号変換部と、
外部から供給される輝度設定情報に基づく輝度情報が予め定められた閾値よりも低い値である場合に、前記インバータ回路部と前記信号変換部を前記一部消灯状態に移行させる制御部と
を備えたことを特徴とする液晶表示装置。
【請求項２】
前記インバータ回路部は、
消灯される冷陰極型蛍光ランプが相補の関係にある第１の一部消灯状態と第２の一部消灯状態の２つの一部消灯状態、及び前記全点灯状態とを選択的に切り替える切り替え部
を備え、
前記制御部は、
前記輝度設定情報に基づく輝度が前記閾値よりも低い場合に、前記インバータ回路部と前記信号変換部に前記第１又は第２の一部消灯状態に移行させ、
前記第１又は第２の一部消灯状態から前記光源部に電力供給を停止した状態に移行させた後、再び前記一部消灯状態に復帰させる場合は、前記移行前とは異なる前記第２又は第１の一部消灯状態に移行させる
ことを特徴とする請求項１に記載の液晶表示装置。
【請求項３】
前記冷陰極型蛍光ランプの点灯継続時間を計測するタイマーを備え、
前記インバータ回路部は、
消灯される冷陰極型蛍光ランプが相補の関係にある第１の一部消灯状態と第２の一部消灯状態の２つの一部消灯状態、及び前記全点灯状態とを選択的に切り替える切り替え部
を備え、
前記制御部は、
前記輝度設定情報に基づく輝度が前記閾値よりも低い場合に、前記インバータ回路部と前記信号変換部に前記第１又は第２の一部消灯状態に移行させ、
前記第１又は第２の一部消灯状態から前記光源部に電力供給を停止した状態に移行させた後、再び前記一部消灯状態に復帰させる場合は、前記タイマーにより計測された前記冷陰極型蛍光ランプの点灯継続時間を累積した累積点灯時間に基づき、前記第２又は第１の一部消灯状態に移行させる
ことを特徴とする請求項１に記載の液晶表示装置。
【請求項４】
前記複数の冷陰極型蛍光ランプは、
平行に並べて配置され、配置順にしたがって奇数番目又は偶数番目のいずれか一方を消灯する前記一部消灯状態を有する
ことを特徴とする請求項１から請求項３のいずれかに記載の液晶表示装置。
【請求項５】
前記信号変換部は、
点灯している前記冷陰極型蛍光ランプ近傍の前記表示信号を予め定められた補正量に基づき補正して輝度を低め、
消灯している前記冷陰極型蛍光ランプ近傍の前記表示信号を補正せずに輝度を維持し、又は前記予め定められた補正量に基づき補正して輝度を高め、
表示画面全体の輝度を均一にする補正処理を行う
ことを特徴とする請求項１から請求項４のいずれかに記載の液晶表示装置。
【請求項６】
前記制御部は、
前記全点灯状態から前記一部消灯状態に移行する場合に、前記点灯している冷陰極型蛍光ランプの輝度を高め、
前記光源部の輝度を変更する変化量について、前記一部消灯状態に移行した後の変化量を前記全点灯状態として予め定められた変化量よりも大きな値を定める
ことを特徴とした請求項１から請求項５のいずれかに記載の液晶表示装置。
【請求項７】
冷陰極型蛍光ランプを有する光源部を用いた液晶表示部に表示する画像の輝度制御方法であって、
複数の前記冷陰極型蛍光ランプを有する光源部に電力を供給し、前記複数の冷陰極型蛍光ランプの内から一部の冷陰極型蛍光ランプを消灯する一部消灯状態と、全てを点灯する全点灯状態とを選択的に切り替えて、前記光源部を駆動する過程と、
外部から供給される表示情報から前記液晶表示部に表示する画像の表示信号を生成し、前記一部消灯状態に応じて前記表示信号の輝度情報を補正する過程と、
外部から供給される輝度設定情報が予め定められた閾値よりも輝度が低い場合に、前記一部消灯状態に移行させる過程と、
を含むことを特徴とする輝度制御方法。
【発明の詳細な説明】
【技術分野】
【０００１】
本発明は、消費電力を低減する液晶表示装置、及び輝度制御方法に関する。
【背景技術】
【０００２】
液晶表示装置（液晶ディスプレイ）では、表示する画像に応じて液晶パネルの透過量を制御することにより、その背面に設けられたバックライトから照射される光量を変調する背面投射型といわれるものがある。その液晶ディスプレイを低消費電力化する技術としてバックライトの点灯を制御する方法が知られている。画面に表示するコンテンツの表示サイズに応じて、コンテンツの表示に必要な一部の領域に対応するバックライトのみを点灯して消費電力を低減する技術が開示されている（特許文献１を参照）。【０００３】
また、液晶ディスプレイの画面を複数の領域に分割し、各領域の最大表示輝度に合わせてその領域に対応するバックライトの輝度を変えることにより、消費電力を低減する技術が開示されている（特許文献２を参照）。【０００４】
一方で、液晶ディスプレイ用のバックライトとしてＣＣＦＬ（Cold Cathode Fluorescent Lamp：冷陰極型蛍光ランプ）が広く使用されており、最近の液晶ディスプレイの大型化に伴いＣＣＦＬが長尺化されて来ている。ＣＣＦＬが長尺化されると、漏れ電流によるＣＣＦＬのホット（ＨＯＴ）側とコールド（ＣＯＬＤ）側の管壁面の温度差が発生し、ＨＯＴ側が明るく、ＣＯＬＤ側が暗くなるカタホリシス現象が知られている。カタホリシス現象が発生すると、液晶ディスプレイの画面上に輝度差が発生し、表示品質を損なうことになる。そのため、長尺のＣＣＦＬを使用した液晶ディスプレイでは、温度差が発生しても輝度に影響しないようにする必要があり、ＣＣＦＬを点灯させるインバータ回路の出力電流が下がらないように制限している。
【先行技術文献】
【特許文献】
【０００５】
【特許文献１】特開２００４−９１１４７号公報
【特許文献２】特開２００８−７１６０３号公報
【発明の概要】
【発明が解決しようとする課題】
【０００６】
しかしながら、バックライトに長尺のＣＣＦＬを使用した液晶ディスプレイにおいては、前記のようにインバータ回路の出力電流の下限値を制限しているため、バックライトの輝度がある輝度値以下には下がらない。液晶ディスプレイの表示画面全体をその輝度の下限値よりも低輝度に設定する場合は、バックライトの輝度調整に加えて液晶パネルによるコントラスト調整によって、より低輝度の表示を実現している。そのため、液晶ディスプレイの表示画面全体をその輝度の下限値よりも低輝度にしても消費電力は低減できないという問題がある。【０００７】
本発明は、上記問題を解決すべくなされたもので、その目的は、消費電力の低減を可能にする液晶表示装置、及び輝度制御方法を提供することにある。
【課題を解決するための手段】
【０００８】
上記問題を解決するために、本発明は、複数の冷陰極型蛍光ランプを有する光源部と、前記光源部からの光を変調して画像を表示する液晶表示部と、前記光源部に供給する電力を制御するとともに、前記複数の冷陰極型蛍光ランプの内から一部の冷陰極型蛍光ランプを消灯する一部消灯状態と、全てを点灯する全点灯状態とを選択的に切り替え、前記光源部を駆動するインバータ回路部と、外部から供給される表示情報に基づき前記液晶表示部に前記画像を表示させる表示信号を生成し、且つ、前記一部消灯状態に応じて前記表示信号の輝度情報を補正する信号変換部と、外部から供給される輝度設定情報に基づく輝度情報が予め定められた閾値よりも低い値である場合に、前記インバータ回路部と前記信号変換部を前記一部消灯状態に移行させる制御部を備えたことを特徴とする液晶表示装置である。
【発明の効果】
【０００９】
本発明によれば、制御部は、外部から供給される輝度設定情報に基づく輝度情報が予め定められた閾値よりも低い値である場合に、複数の冷陰極型蛍光ランプの一部を間引いて点灯させる（一部消灯状態）。これにより、信号変換部が、一部消灯状態に応じて表示信号の輝度情報を補正する。そのため、液晶表示装置は、輝度設定情報に基づく輝度情報が閾値よりも低い場合において、表示品質を損なうことなく、消費電力を低減できる。
【図面の簡単な説明】
【００１０】
【図１】本発明の第１の実施形態における液晶表示装置を示す概略ブロック図である。
【図２】同実施形態における輝度の補正動作と画面輝度の分布を示す説明図である。
【図３】本発明の第２の実施形態における液晶表示装置を示す概略ブロック図である。
【図４】同実施形態におけるパワーセーブ移行動作を示すフローチャートである。
【図５】本発明の第３の実施形態における液晶表示装置を示す概略ブロック図である。
【図６】同実施形態におけるパワーセーブ移行動作を示すフローチャートである。
【発明を実施するための形態】
【００１１】
＜第１の実施形態＞
以下、本発明の第１の実施形態による液晶表示装置について図面を参照して説明する。
図１は、本発明の第１の実施形態における液晶表示装置を示す概略ブロック図である。
液晶表示装置（液晶ディスプレイ）１は、バックライト部１０、インバータ部２０、パネル部３０、信号変換部４０、及び制御部５０を備える。
【００１２】
バックライト部１０は、複数の冷陰極型蛍光ランプ（以下、ＣＣＦＬと称する）を有し、パネル部３０の背面に設けられ、それぞれ平行に配置される。この図では、ＣＣＦＬ１０１〜１０４の４本のＣＣＦＬを配置した形態を示す。また、ここでは説明上、ＣＣＦＬ１０１〜１０４は、奇数番目のＣＣＦＬ１０１とＣＣＦＬ１０３をＡ群とし、偶数番目のＣＣＦＬ１０２とＣＣＦＬ１０４をＢ群とする。つまり、Ａ群とＢ群は相補の関係にある。Ａ群のＣＣＦＬ１０１と１０３は、インバータ部２０から信号線７１を通じて電力の供給を受け、Ｂ群のＣＣＦＬ１０２と１０４は、インバータ部２０から信号線７２を通じて電力の供給を受ける。これによりバックライト部１０は点灯し、液晶ディスプレイ１の光源として機能する。
インバータ部２０は、出力切り替え部２０１を備え、制御部５０から供給される出力制御信号と切り替え信号Ｊに基づきバックライト部１０を駆動する電力を生成すると伴に、バックライト部１０に電力を供給する。
また、出力切り替え部２０１は、全てのＣＣＦＬ１０１〜１０４に電力を供給する全点灯状態と、Ａ群又はＢ群のいずれか一方に電力を提供し、他方に供給を停止する一部消灯状態（又は間引き点灯状態という）を、制御部５０から供給される切り替え信号Ｊに基づき切り替える。
【００１３】
パネル部３０は、信号受信部３０１を備え、信号変換部４０から供給されるビデオ信号Ｍに基づき、図示されない表示部に画像を表示する。また、信号受信部３０１は、ビデオ信号Ｍを受信し、パネル部３０は、信号受信部３０１を通じて表示する画像情報を受け取る。
信号変換部４０は、制御部５０から供給される輝度補正信号に基づき、表示信号Ｋをビデオ信号Ｍに変換して、パネル部３０に供給する。表示信号Ｋは、外部装置２から供給され、パネル部３０に表示する画像の表示情報を含んでいる。また、ビデオ信号Ｍは、表示信号Ｋに含まれる表示情報に基づき、パネル部３０に画像を表示するために変換された信号である。
制御部５０は、輝度制御部５０１と記憶部５０２を備え、外部装置２から供給された制御信号に基づき、インバータ部２０と信号変換部４０を制御する。また、制御部５０は、インバータ部２０に出力制御信号と切り替え信号Ｊを供給し、信号変換部４０に輝度補正信号を供給する。
制御部５０の輝度制御部５０１は、外部装置２から供給された制御信号に含まれる輝度設定情報に基づき表示画面全体の輝度である画面輝度に関する制御を行う。輝度制御部５０１は、ＣＣＦＬの全点灯状態と一部消灯状態の切り替えを判定する。また、輝度制御部５０１は、インバータ部２０にバックライト部１０の光源輝度の変更を指示し、信号変換部４０に表示信号Ｋに含まれる表示信号の輝度を補正する指示をする。
記憶部５０２は、画面輝度の閾値である輝度閾値を記憶する輝度設定部５０２１を備える。輝度設定部５０２１は、ＣＣＦＬ１０１〜１０４を間引き点灯状態にするか否かを判定する閾値を記憶する。また、輝度設定部５０２１が記憶する輝度閾値は、予め定められた値である。輝度設定部５０２１が記憶する輝度閾値は、例えば、ＣＣＦＬ１０１〜１０４を全点灯状態のまま、光源輝度のみを変更して画面輝度を低くした場合に、カタホリシス現象が発生しない画面輝度の限界値以上の値である。
【００１４】
次に、本実施形態の動作について説明する。図１において、外部装置２から供給された制御信号に基づき、液晶ディスプレイ１の表示画面全体の画面輝度を変更する場合、制御信号を通じて画面輝度の設定値（以下、設定輝度と称す）が制御部５０に供給される。制御部５０の輝度制御部５０１は、供給された設定輝度に基づき、インバータ部２０の出力線７１、７２の出力電力を制御する。また、輝度制御部５０１は、出力制御信号をインバータ部２０に供給する指示を行う。
また、輝度制御部５０１は、記憶部５０２の輝度設定部５０２１に記憶された輝度閾値と供給された設定輝度を比較し、設定輝度が輝度閾値以下であるか否かを判定する。輝度制御部５０１は、設定輝度が輝度閾値以下であると判定した場合に、インバータ部２０に切り替え信号Ｊを供給する。インバータ部２０の出力切り替え部２０１は、切り替え信号Ｊに基づき、バックライト部１０のＡ群又はＢ群いずれか一方のみ点灯する間引き点灯状態に切り替える。つまり、出力切り替え部２０１は、出力線７１と７２のいずれか一方への電力供給を停止する。例えば、出力切り替え部２０１は出力線７１にのみ電力を供給し、Ａ群を点灯させ、Ｂ群を消灯する。
また、切り替え信号Ｊが制御部５０から供給されていない場合、出力切り替え部２０１は信号線７１と７２の両方に電力を供給し、ＣＣＦＬ１０１〜１０４の全てを点灯させる（全点灯状態）。
【００１５】
また、全点灯状態において、外部装置２が画面輝度のある設定輝度値Ｘから１ステップ輝度が低い設定輝度値（Ｘ−１）に変更を指示する場合、制御部５０は、設定輝度値Ｘに対応する出力制御値Ｙから（Ｙ−ΔＹ）に変更し、出力制御信号によりインバータ部２０に供給する。インバータ部２０は、出力制御値Ｙに対応する出力電力Ｗから、出力制御値（Ｙ−ΔＹ）に対応する出力電力（Ｗ−ΔＷ）に変更して、バックライト部１０に供給する。その結果、バックライト部１０は、電力Ｗに対応する画面輝度Ｚから、電力（Ｗ−ΔＷ）に対応する画面輝度（Ｚ−ΔＺ）に変更される。つまり、設定輝度Ｘの１ステップに対する出力制御値Ｙの変化量はΔＹであり、インバータ部２０から供給される出力電力Ｗの変化量はΔＷである。また、設定輝度Ｘの１ステップに対するバックライト部１０の画面輝度の変化量ΔＺである。
例えば、全点灯状態からＢ群を消灯した一部消灯状態に切り替わる場合、ＣＣＦＬの点灯本数が減少することから、画面表示の輝度変化が生じる。画面表示の輝度変化が生じると、表示品質の低下を招くことになる。そこで、一部消灯状態に切り替えても急激な画面輝度の変化を生じないようにする。つまり、全点点灯状態から一部消灯状態に切り替わる際に、画面輝度の変化量ΔＺが一定になるように、点灯しているＡ群の輝度を高める必要がある。そこで、制御部５０は、出力制御信号によりインバータ部２０に指示し、インバータ部２０は、出力線７１への出力電力Ｗを大きくする。
【００１６】
また、外部装置２が画面輝度の変更を指示する場合では、設定輝度値Ｘの１ステップに対する画面輝度の変化量ΔＺは、全点灯状態にある場合と、一部消灯状態にある場合とで、同一の変化量になるように設定することが好ましい。一部消灯状態にある場合、ＣＣＦＬ１０１〜１０４の点灯数が全点灯状態にある場合の点灯数より少ないことから、出力線７１の出力の変化ΔＷに対する画面輝度の変化量ΔＺは、全点灯状態の場合に比べ小さくなる。従って、設定輝度の１ステップに対する画面輝度の変化量ΔＺを同一にするために、全点灯状態にある場合に対し、一部消灯状態にある場合、設定輝度値Ｘの１ステップに対する出力制御値の変化量ΔＹ、又は出力線７１の出力の変化量ΔＷを大きくする。例えば、一部消灯状態にある場合は画面輝度設定Ｘの１ステップに対する出力制御値の変化量ΔＹを全点灯状態にある場合に対し２倍の値に設定する。これにより、表示画面全体の輝度を連続的に変化できる。
【００１７】
また、ＣＣＦＬが直下型に配置されている場合、ＣＣＦＬを間引いて点灯すると表示画面全体の画面輝度の均一性に影響する。そこで、信号変換部４０は、制御部５０からの輝度補正信号に基づき、ビデオ信号Ｍの輝度補正を行う。具体的には、画面輝度が均一にならない場所が事前に分っているため、信号変換部４０は、パネル部３０に送信するビデオ信号Ｍのレベルを変化させ、輝度が均一になるように補正する。
【００１８】
次に、信号変換部４０による輝度の補正動作について、図２を参照して説明する。
図２は、本実施形態における輝度の補正動作と画面輝度の分布を示す説明図である。
図２（ａ）は、一部消灯状態にあるパネル部３０を表示面（正面）から見た図である。一部消灯状態にあるため、消灯しているＣＣＦＬの近傍の画面が暗く、点灯しているＣＣＦＬの近傍の画面が明るい画面輝度の不均一が発生している未対策状態を示す。
図２（ｂ）は、パネル部３０をＡＡ’間のライン（図２（ａ））で切断した断面図を示す。また、同図に合わせて、画面輝度の分布を示す波形６０１が示される。波形６０１は、左になる程輝度が高い状態を示す。すなわち、波形６０１は、画面輝度にムラが発生している状態を示す。パネル部３０の背面に配置されたＣＣＦＬの内、点灯しているＣＣＦＬ１０１と１０３の近傍では、画面輝度が高く、消灯しているＣＣＦＬ１０２と１０４の近傍では、画面輝度が低い。
【００１９】
また、図２（ｃ）は、信号変換部４０がパネル部３０に供給するビデオ信号Ｍの電圧波形を示す。この図では、横軸が時間、縦軸が電圧を示す。電圧波形Ｖ１０２〜Ｖ１０４は、信号変換部４０が図２（ａ）の状態に輝度補正を行うために、パネル部３０の信号受信部３０１に供給するビデオ信号Ｍの一例である。信号変換部４０は、波形６０１において、補正後の画面輝度を補正前の画面輝度の一番低いレベルに合わせるように、ビデオ信号Ｍの信号レベルを補正する。電圧波形Ｖ１０２〜Ｖ１０４は、ＣＣＦＬ１０２〜１０４の近傍のビデオ信号Ｍの波形にそれぞれ相当する。
【００２０】
波形６０１に示すように、一部点灯状態にした際の輝度のレベル差は予め定めることができる。例えば、全点灯状態、Ａ群のみ点灯した状態、及びＢ群のみ点灯した状態で画面各部の輝度を予め測定し、その測定値から算出しても良い。定められた輝度のレベル差に基づき、信号変換部４０は、Ａ群のみ点灯した状態及びＢ群のみ点灯した状態又はそのいずれか一方のビデオ信号Ｍの信号レベルを補正するための補正量を、表示信号Ｋの階調毎に図示されない変換テーブルに記憶する。表示信号Ｋの階調毎とは、例えば、黒から白までの全階調を５分割した各階調で設定し、その間の階調は直線補間等で算出するようにしても良い。なお、分割数を多くするとより滑らかに補正可能となるが、記憶容量がより多く必要となる。補正量は、各階調の補正後の画面輝度を補正前の画面輝度の一番低いレベルに合わせるように定められる。これは、表示画像の白付近を表示した場合に、画面輝度の低い部分（消灯しているＣＣＦＬ近傍）で、ビデオ信号Ｍによる輝度補正ができないこと、また、表示画像の黒付近を表示した場合に、コントラストが悪化することを防止するためである。従って、表示画像の白と黒の間の中間階調においては、ビデオ信号Ｍのガンマ特性を考慮し、輝度が高くなるように適宜設定しても良い。
【００２１】
信号変換部４０は、外部装置２から供給された表示信号Ｋをビデオ信号Ｍに変換する場合、ＣＣＦＬの点灯状態（Ａ群又はＢ群）に対応する図示されない上記変換テーブルを参照して、波形６０１の画面輝度の高いところではビデオ信号Ｍの信号レベルを低く変換する（Ｖ１０３）。また、画面輝度の低いところではビデオ信号Ｍの信号レベルをそのまま出力する（Ｖ１０２、Ｖ１０４）。ただし、上記のように、画面輝度の低いところではビデオ信号Ｍの信号レベルを高く変換しても良い（Ｖ１０２、Ｖ１０４）。
図２（ｄ）の波形６０２は、信号変換部４０が図２（ｃ）に示した画面輝度の補正を行った場合の輝度分布である。波形６０２は、波形６０１の一番画面輝度の低いレベルに合わせて均一に補正される。
【００２２】
以上のように、上記で説明した液晶ディスプレイ１は、輝度設定部５０２１に予め記憶された輝度閾値よりも低い設定輝度が設定された場合に、複数のＣＣＦＬの一部を間引いて点灯させる（一部消灯状態）。そのため、液晶ディスプレイ１の表示画面全体を画面輝度の下限値よりも低い設定輝度にした場合においても、消費電力を低減できる。また、予め記憶された輝度閾値として、カタホリシス現象が発生する画面輝度以上の値を設定することから、カタホリシス現象は発生しない。更に一部消灯状態に移行する場合に、インバータ部２０が点灯しているＣＣＦＬに供給する電力を大きくするので、カタホリシス現象により表示品質を損なうことがない。このように、ＣＣＦＬが直下型に配置されている場合であっても、信号変換部４０が、画面輝度を均一にするようにビデオ信号Ｍを補正するようにしたので、表示品質を損なうことなく、消費電力を低減できる。以上のことから、新しく要求されるエナジースターに代表されるような環境規制などの消費電力規制を満足できる液晶ディスプレイ１を提供できる。
【００２３】
＜第２の実施形態＞
以下、本発明の第２の実施形態による液晶表示装置について図面を参照して説明する。
図３は、本実施形態における液晶表示装置を示す概略ブロック図である。液晶ディスプレイ１ａは、バックライト部１０、インバータ部２０ａ、パネル部３０、信号変換部４０、及び制御部５０ａを備える。
この図において、図１と同じ構成には同一の符号を付す。
【００２４】
インバータ部２０ａは、制御部５０ａから供給される出力制御信号と切り替え信号Ｊ１、Ｊ２に基づきバックライト部１０に電力を供給する。インバータ部２０ａは、出力切り替え部２０１ａ、トランス２０２、２０３、スイッチング回路部２０４、及び制御回路部２０５を備える。
【００２５】
出力切り替え部２０１ａは、全てのＣＣＦＬ１０１〜１０４に電力を供給する全点灯状態と、Ａ群又はＢ群のいずれか一方に電力を供給し、他方に電力供給を停止する一部消灯状態（又は間引き点灯状態という）と、全てのＣＣＦＬ１０１〜１０４に電力を停止する全消灯状態とを、制御部５０ａから供給される切り替え信号Ｊ１とＪ２に基づき切り替える。また、出力切り替え部２０１ａは、スイッチ２０６、２０７を備え、信号線７３を通じてスイッチング回路部２０４から供給される駆動信号をトランス２０２、２０３に供給するか否かを、制御部５０ａから供給される切り替え信号Ｊ１、Ｊ２に基づき切り替える。スイッチ２０６は、制御部５０ａから供給される切り替え信号Ｊ１に基づき、信号線７３と７４を導通するか否かを切り替える。また、スイッチ２０７は、制御部５０ａから供給される切り替え信号Ｊ２に基づき、信号線７３と７５を導通するか否かを切り替える。
【００２６】
トランス２０２、２０３は、スイッチング回路部２０４から出力切り替え部２０１ａを経由して供給される駆動信号を、ＣＣＦＬ１０１〜１０４を点灯するための電力に変換する。トランス２０２は、Ａ群のＣＣＦＬ１０１、１０３に信号線７１を通じて電力を供給し、トランス２０３は、Ｂ群のＣＣＦＬ１０２、１０４に信号線７２を通じて電力を供給する。
スイッチング回路部２０４は、制御回路部２０５から供給されるイネーブル信号ＥＮに基づきトランス２０２、２０３に供給する駆動信号を生成する。
制御回路部２０５は、制御部５０ａから供給される切り替え信号Ｊ１、Ｊ２に基づき、スイッチング回路部２０４を動作させるか否かを制御する。
【００２７】
制御部５０ａは、輝度制御部５０１ａと記憶部５０２ａを備え、外部装置２から供給された制御信号に基づき、インバータ部２０ａと信号変換部４０を制御する。また、制御部５０ａは、インバータ部２０ａに出力制御信号と切り替え信号Ｊ１、Ｊ２を供給し、信号変換部４０に輝度補正信号を供給する。
記憶部５０２ａは、輝度の閾値を記憶する輝度設定部５０２１と設定記憶部５０２２を含み、設定記憶部５０２２は、切り替え信号Ｊ１と切り替え信号Ｊ２の出力状態を記憶する。
また、制御部５０ａの輝度制御部５０１ａは、外部装置２から供給された制御信号に含まれる輝度設定情報に基づき、表示画面全体の輝度である画面輝度に関する制御を行う。輝度制御部５０１ａは、ＣＣＦＬの全点灯状態と一部消灯状態の切り替えを選択する。また、輝度制御部５０１ａは、インバータ部２０ａにバックライト部１０の光源輝度の変更を指示し、信号変換部４０に表示信号Ｋに含まれる表示信号の輝度を補正する指示をする。
【００２８】
次に、本実施形態の動作について説明する。
図３において、外部装置２から供給された制御信号に基づき、液晶ディスプレイ１ａの表示画面全体の画面輝度を変更する場合には、設定輝度が制御部５０ａに供給される。制御部５０ａの輝度制御部５０１ａは、供給された画面輝度情報に基づき、インバータ部２０ａの出力７１、７２の出力電力を制御する出力制御信号をインバータ部２０ａに供給する。
また、輝度制御部５０１ａは、記憶部５０２ａの輝度設定部５０２１が記憶する画面輝度の閾値である輝度閾値と供給された設定輝度を比較し、設定輝度が輝度閾値以下であるか否かを判定する。設定輝度が輝度閾値より高いと判定した場合、輝度制御部５０１ａは、インバータ部２０ａに切り替え信号Ｊ１及びＪ２を供給する。設定輝度が輝度閾値以下であると判定した場合、輝度制御部５０１ａは、インバータ部２０ａに切り替え信号Ｊ１（もしくはＪ２）を供給する。ここで、切り替え信号Ｊ１とＪ２の信号状態は、ＣＣＦＬを消灯状態にする場合にＬ（ロウ）状態を出力する場合を示す。インバータ部２０ａの制御回路部２０５は、供給された切り替え信号Ｊ１（もしくはＪ２）に基づきイネーブル信号ＥＮをスイッチング回路部２０４に供給する。イネーブル信号ＥＮは、スイッチング回路部２０４を動作させるか否かを制御するイネーブル信号であり、Ｈ（ハイ）状態の場合にスイッチング回路部２０４が動作するものとする。制御回路部２０５は、切り替え信号Ｊ１とＪ２を論理和（ＯＲ）演算した信号をイネーブル信号ＥＮとしてスイッチング回路部２０４に供給する。従って、切り替え信号Ｊ１とＪ２の両方がＨ状態である場合、又は、いずれか一方がＨ状態で他方がＬ状態である場合、イネーブル信号ＥＮは、Ｈ状態となる。
【００２９】
次に、イネーブル信号ＥＮを受けたスイッチング回路部２０４は、トランス２０２、２０３に駆動信号を供給する。駆動信号は、スイッチ２０６とスイッチ２０７の両方に供給される。出力切り替え部２０１ａのスイッチ２０６は、切り替え信号Ｊ１がＨ状態の場合に信号線７３と７４を導通し、Ｌ状態の場合に信号線７３と７４を遮断する。また、スイッチ２０７は、切り替え信号Ｊ２がＨ状態の場合に信号線７３と７５を導通させ、Ｌ状態の場合に信号線７３と７５を遮断する。従って、設定輝度が輝度閾値より高い場合に、切り替え信号Ｊ１とＪ２の両方がＨ状態となり、信号線７３は７４と７５の両方に導通される。また、設定輝度が輝度閾値以下の場合に、切り替え信号Ｊ１かＪ２のいずれか一方がＬ状態となり、信号線７３は、７４か７５のいずれか一方が遮断される。
切り替え信号Ｊ１（もしくはＪ２）がＬ状態の場合に、信号線７４（もしくは７５）にスイッチング回路部２０４で生成した駆動信号が供給されないため、トランス２０２（もしくは２０３）は停止する。その結果、Ａ群のＣＣＦＬ１０１、１０３（もしくはＢ群のＣＣＦＬ１０２、１０４）は消灯し、一部消灯状態になる。
【００３０】
次に、本実施形態において、パワーセーブ状態に移行し、再び復帰する場合の動作について、図を参照して説明する。パワーセーブ状態とは、バックライト部１０の全てのＣＣＦＬ１０１〜１０４が消灯した状態をいう。
図４は、上記で説明した設定輝度に応じたバックライト部１０の電力制御を示すフローチャートである。設定輝度が画面輝度の閾値以下の場合には、ＣＣＦＬを間引いて点灯させた状態（一部消灯状態）からパワーセーブ状態に移行し、再び一部消灯状態に復帰する動作を示すフローチャートである。例えば、初期状態としてインバータ部２０ａが、Ａ群のＣＣＦＬ１０１、１０３に電力を供給している場合の動作を示す。つまり、初期状態では、切り替え信号Ｊ１がＨ状態で、切り替え信号Ｊ２がＬ状態である。この初期状態のまま外部装置２に一定の期間操作が行われない場合に、外部装置２は、制御信号を通じて、液晶ディスプレイ１ａにパワーセーブに移行する指示を供給する。又は、外部装置２が表示信号Ｋの出力を停止し、液晶ディスプレイ１ａが表示信号Ｋに含まれる同信号等の入力が無いことを検出してパワーセーブ状態に移行しても良い。
【００３１】
まず、制御部５０ａの輝度制御部５０１ａは、切り替え信号Ｊ１、Ｊ２の状態を設定記憶部５０２２に記憶する（ステップＳ１）。続いて、輝度制御部５０１ａは、切り替え信号Ｊ１、Ｊ２の両方をＬ状態にする。これにより、制御回路部２０５は、イネーブル信号ＥＮにＬ状態を出力し、スイッチング回路部２０４が動作を停止する。また、スイッチ２０６と２０７の両方が遮断状態になり、トランス２０２と２０３の両方が、バックライト部１０に供給する電力を停止する。これにより、バックライト部１０のＣＣＦＬ１０１〜１０４が全て消灯し、パワーセーブ状態に移行する（ステップＳ２）。
【００３２】
制御部５０ａは、外部装置２からの制御信号に基づく、パワーセーブ状態からの復帰要求があるか否かを判定する。判定の結果、制御部５０ａは、復帰要求がないと判定するとステップＳ３の判定を繰り返し、パワーセーブの状態を維持する（ステップＳ３）。なお、ステップＳ３における判定は、制御部５０ａが外部装置２から供給される制御信号に含まれる情報に復帰要求メッセージがあるか否かで行う。又は、表示信号Ｋに含まれる同期信号等の有無で行っても良い。ステップＳ３において、復帰要求があると判定すると、ステップＳ４に進み、制御部５０ａの輝度制御部５０１ａは、設定記憶部５０２２に記憶された切り替え信号Ｊ１、Ｊ２の状態を参照する。
次に、輝度制御部５０１ａは、記憶した切り替え信号Ｊ１、Ｊ２の状態をそれぞれ反転した状態にする（ステップＳ５）。また、ＣＣＦＬの点灯状態（Ａ群又はＢ群）に対応したビデオ信号Ｍの信号レベルを補正する変換テーブルに変更する。例えば、輝度制御部５０１ａが、切り替え信号Ｊ１をＬ状態に、切り替え信号Ｊ２をＨ状態にそれぞれ設定する。これにより、制御回路部２０５のイネーブル信号ＥＮがＨ状態になり、スイッチング回路部２０４は駆動状態となり、駆動信号を信号線７３に供給する。また、一方で、スイッチ２０６が遮断状態になり、スイッチ２０７が導通状態になるため、トランス２０３の出力線７１のみが、バックライト部１０に電力を供給する。これにより、Ａ群のＣＣＦＬ１０１、１０３が消灯し、Ｂ群のＣＣＦＬ１０２、１０４が点灯する一部消灯状態に復帰する。また、ビデオ信号Ｍの補正テーブルもＢ群のみ点灯した状態の補正テーブルに切り替わっているので、画面輝度が均一になる。
【００３３】
また、外部装置２から供給された制御信号に含まれる輝度設定情報に基づく設定輝度が輝度閾値より高くなった場合、輝度制御部５０１ａは、第１の切り替え信号Ｊ１と第２の切り替え信号Ｊ２の両方をＨ状態にし、第１のＣＣＦＬ１０１〜第４のＣＣＦＬ１０４の全てのＣＣＦＬを点灯させる。また、信号変換部４０によるビデオ信号Ｍの補正も行わない。
【００３４】
以上のように、本実施形態では、輝度設定部５０２１に予め記憶された輝度閾値よりも低い設定輝度が設定された場合に、複数のＣＣＦＬの一部を間引いて点灯させる（一部消灯状態）。そのため、液晶ディスプレイ１ａの表示画面全体を画面輝度の下限値よりも低い設定輝度にした場合においても、消費電力を低減できる。また、予め記憶された輝度閾値として、カタホリシス現象が発生する画面輝度値以上の値を設定することから、カタホリシス現象は発生しない。更に一部消灯状態に移行する場合に、インバータ部２０ａが点灯しているＣＣＦＬに供給する電力を大きくするので、カタホリシス現象により表示品質を損なうことがない。このように、ＣＣＦＬが直下型に配置されている場合であっても、信号変換部４０が、画面輝度を均一にするようにビデオ信号Ｍを補正するようにしたので、表示品質を損なうことなく、消費電力を低減できる。
更に、制御部５０ａの設定記憶部５０２２に一部消灯状態の設定状態（切り替え信号Ｊ１、Ｊ２の状態）を記憶し、設定記憶部５０２２に記憶された情報を基に、Ａ群のＣＣＦＬ１０１と１０３が点灯する一部消灯状態と、Ｂ群のＣＣＦＬ１０２と１０４が点灯する一部消灯状態を交互に使用する。そのため、バックライト部１０の寿命時間を延ばすことができる。
【００３５】
＜第３の実施形態＞
以下、本発明の第３の実施形態による液晶表示装置について図面を参照して説明する。
図５は、本実施形態における液晶表示装置を示す概略ブロック図である。
液晶ディスプレイ１ｂは、バックライト部１０、インバータ部２０ａ、パネル部３０、信号変換部４０、及び制御部５０ｂを備える。
この図において、図１及び図３と同じ構成には同一の符号を付す。
制御部５０ｂは、輝度制御部５０１ｂ、記憶部５０２ｂ、及びタイマー５０３、５０４を備える。制御部５０ｂは、外部装置２から供給された制御信号に基づき、インバータ部２０ａと信号変換部４０を制御する。また、制御部５０ｂは、インバータ部２０ａに出力制御信号と切り替え信号Ｊ１、Ｊ２を供給し、信号変換部４０に輝度補正信号を供給する。
記憶部５０２ｂは、輝度の閾値を記憶する輝度設定部５０２１と設定記憶部５０２２ｂを備える。設定記憶部５０２２ｂは、切り替え信号Ｊ１と切り替え信号Ｊ２の出力状態、及び、Ａ群及びＢ群それぞれの累積点灯時間を記憶する。
また、制御部５０ｂの輝度制御部５０１ｂは、図３の輝度制御部５０１ｂにおける制御の他に、タイマー５０３、５０４の測定値に基づき、バックライト部１０のＡ群とＢ群の累積点灯時間に関する制御を行う。
タイマー５０３は、Ａ群のＣＣＦＬを継続して点灯させる点灯継続時間を計測する。また、タイマー５０４は、Ｂ群のＣＣＦＬを継続して点灯させる点灯継続時間を計測する。
【００３６】
全点灯状態と一部消灯状態の切り替え動作は、第２の実施形態と同じである。タイマー５０３は、切り替え信号Ｊ１がＬ状態からＨ状態に切り替わる際に計測を開始し、Ｈ状態からＬ状態に切り替わるまでの時間（点灯継続時間）を計測する。また、切り替え信号Ｊ１がＬ状態に切り替わる場合、輝度制御部５０１ｂは、設定記憶部５０２２ｂが記憶するＡ群の累積点灯時間を読み出し、タイマー５０３が計測した点灯継続時間を加算して、再び設定記憶部５０２２ｂに記憶させる。タイマー５０４は、切り替え信号Ｊ２がＬ状態からＨ状態に切り替わる際に計測を開始し、Ｈ状態からＬ状態に切り替わるまでの時間（点灯継続時間）を計測する。また、切り替え信号Ｊ２がＬ状態に切り替わる場合、輝度制御部５０１ｂは、設定記憶部５０２２ｂが記憶するＢ群の累積点灯時間を読み出し、タイマー５０４が計測した点灯継続時間を加算して、再び設定記憶部５０２２ｂに記憶させる。なお、このＡ群（又はＢ群）の累積点灯時間はＣＣＦＬの交換によってリセットされる。例えば、ＣＣＦＬの交換の際に輝度制御部５０１ｂが初期化処理を実行し、設定記憶部５０２２ｂの累積点灯時間を初期化する。
【００３７】
次に、本実施形態において、パワーセーブ状態に移行し、再び復帰する場合の動作について、図を参照して説明する。
図６は、上記で説明した設定輝度に応じたバックライト部１０の電力制御を示すフローチャートである。設定輝度が画面輝度の閾値以下の場合には、ＣＣＦＬを間引いて点灯させた状態（一部消灯状態）からパワーセーブ状態に移行し、再び一部消灯状態に復帰する動作を示すフローチャートである。例えば、初期状態としてインバータ部２０ａが、Ａ群のＣＣＦＬ１０１、１０３に電力を供給している場合の動作を示す。つまり、初期状態では、切り替え信号Ｊ１がＨ状態で、切り替え信号Ｊ２がＬ状態である。この初期状態のまま外部装置２に一定の期間操作が行われない場合に、外部装置２は、制御信号を通じて、液晶ディスプレイ１ｂにパワーセーブに移行する指示を供給する。又は、外部装置２が表示信号Ｋの出力を停止し、液晶ディスプレイ１ｂが表示信号Ｋに含まれる同信号等の入力が無いことを検出してパワーセーブ状態に移行しても良い。
まず、制御部５０ｂの輝度制御部５０１ｂは、切り替え信号Ｊ１、Ｊ２の状態を設定記憶部５０２２ｂに記憶する（ステップＳ１ａ）。続いて、輝度制御部５０１ｂは、切り替え信号Ｊ１、Ｊ２の両方をＬ状態にする。輝度制御部５０１ｂは、タイマー５０３、５０４が計測した点灯継続時間より算出される累積点灯時間を設定記憶部５０２２ｂに記憶する。これにより、制御回路部２０５は、イネーブル信号ＥＮにＬ状態を出力し、スイッチング回路部２０４が動作を停止する。また、スイッチ２０６と２０７の両方が遮断状態になり、トランス２０２と２０３の両方が、バックライト部１０に供給する電力を停止する。これにより、バックライト部１０のＣＣＦＬ１０１〜１０４が全て消灯し、パワーセーブ状態に移行する（ステップＳ２ａ）。
【００３８】
制御部５０ｂは、外部装置２からの制御信号に基づく、パワーセーブ状態からの復帰要求があるか否かを判定する。判定の結果、制御部５０ｂは、復帰要求がないと判定するとステップＳ３ａの判定を繰り返し、パワーセーブの状態を維持する（ステップＳ３ａ）。ステップＳ３ａにおいて、復帰要求があると判定すると、ステップＳ４ａに進み、制御部５０ｂの輝度制御部５０１ｂは、設定記憶部５０２２ｂに記憶された切り替え信号Ｊ１、Ｊ２の状態、及び切り替え信号Ｊ１、Ｊ２のそれぞれに対応する累積点灯時間を参照する。
次に、輝度制御部５０１ｂは、記憶した切り替え信号Ｊ１、Ｊ２に対応する累積点灯時間を比較する。輝度制御部５０１ｂは、比較の結果、その累積点灯時間が短い方の切り替え信号Ｊ１又はＪ２をＨ状態にする（ステップＳ５ａ）。また、ＣＣＦＬの点灯状態（Ａ群又はＢ群）に対応したビデオ信号Ｍの信号レベルを補正する変換テーブルに変更する。また、切り替え信号Ｊ１又はＪ２をＨ状態になることにより、タイマー５０３又は５０４が、点灯継続時間の計測を開始する。以降の動作は第２の実施形態と同じである。
【００３９】
また、上記切り替え信号Ｊ１及びＪ２のＨ状態の時間を測定するタイマー５０３と５０４は、１つでも良い。切り替え信号Ｊ１とＪ２の状態は、両方ともＨ状態、いずれか一方がＨ状態、両方ともＬ状態がある。この状態を状態１（Ｊ１＝Ｌ状態、Ｊ２＝Ｌ状態）、状態２（Ｊ１＝Ｈ状態、Ｊ２＝Ｌ状態）、状態３（Ｊ１＝Ｌ状態、Ｊ２＝Ｈ状態）、状態４（Ｊ１＝Ｈ状態、Ｊ２＝Ｈ状態）とする。例えば、最初、切り替え信号Ｊ１、Ｊ２が共にＬ状態とする（状態１）。
状態１（Ｊ１＝Ｌ状態、Ｊ２＝Ｌ状態）から、状態２（Ｊ１＝Ｈ状態、Ｊ２＝Ｌ状態）、状態３（Ｊ１＝Ｌ状態、Ｊ２＝Ｈ状態）、及び状態４（Ｊ１＝Ｈ状態、Ｊ２＝Ｈ状態）のいずれかの状態に変化した場合に点灯継続時間の計測を開始する。
状態２（Ｊ１＝Ｈ状態、Ｊ２＝Ｌ状態）から状態１（Ｊ１＝Ｌ状態、Ｊ２＝Ｌ状態）に変化した場合は、計測された点灯継続時間が切り替え信号Ｊ１に対応する累積点灯時間に加算され、点灯継続時間の計測を終了する。状態２（Ｊ１＝Ｈ状態、Ｊ２＝Ｌ状態）から状態３（Ｊ１＝Ｌ状態、Ｊ２＝Ｈ状態）に変化した場合は、計測された点灯継続時間が切り替え信号Ｊ１に対応する累積点灯時間に加算され、点灯継続時間の計測を再度開始する。状態２（Ｊ１＝Ｈ状態、Ｊ２＝Ｌ状態）から状態４（Ｊ１＝Ｈ状態、Ｊ２＝Ｈ状態）に変化した場合は、計測された点灯継続時間が切り替え信号Ｊ１に対応する累積点灯時間に加算され、点灯継続時間の計測を再度開始する。つまり、直前の状態がＨ状態の切り替え信号に計測された点灯継続時間が加算され、点灯継続時間の計測を再度開始又は終了する。
【００４０】
状態３（Ｊ１＝Ｌ状態、Ｊ２＝Ｈ状態）から状態１（Ｊ１＝Ｌ状態、Ｊ２＝Ｌ状態）に変化した場合は、計測された点灯継続時間が切り替え信号Ｊ２に対応する累積点灯時間に加算され、点灯継続時間の計測を終了する。状態３（Ｊ１＝Ｌ状態、Ｊ２＝Ｈ状態）から状態２（Ｊ１＝Ｈ状態、Ｊ２＝Ｌ状態）に変化した場合は、計測された点灯継続時間が切り替え信号Ｊ２に対応する累積点灯時間に加算され、点灯継続時間の計測を再度開始する。状態３（Ｊ１＝Ｌ状態、Ｊ２＝Ｈ状態）から状態４（Ｊ１＝Ｈ状態、Ｊ２＝Ｈ状態）に変化した場合は、計測された点灯継続時間が切り替え信号Ｊ２に対応する累積点灯時間に加算され、点灯継続時間の計測を再度開始する。つまり、直前の状態がＨ状態の切り替え信号に計測された点灯継続時間が加算され、点灯継続時間の計測を再度開始又は終了する。
状態４（Ｊ１＝Ｈ状態、Ｊ２＝Ｈ状態）から状態１（Ｊ１＝Ｌ状態、Ｊ２＝Ｌ状態）に変化した場合は、計測された点灯継続時間が切り替え信号Ｊ１及びＪ２に対応する累積点灯時間に加算され、点灯継続時間の計測を終了する。状態４（Ｊ１＝Ｈ状態、Ｊ２＝Ｈ状態）から状態２（Ｊ１＝Ｈ状態、Ｊ２＝Ｌ状態）に変化した場合は、計測された点灯継続時間が切り替え信号Ｊ１及びＪ２に対応する累積点灯時間に加算され、点灯継続時間の計測を再度開始する。状態４（Ｊ１＝Ｈ状態、Ｊ２＝Ｈ状態）から状態３（Ｊ１＝Ｌ状態、Ｊ２＝Ｈ状態）に変化した場合は、計測された点灯継続時間が切り替え信号Ｊ１及びＪ２に対応する累積点灯時間に加算され、点灯継続時間の計測を再度開始する。つまり、直前の状態がＨ状態の切り替え信号に計測された点灯継続時間が加算され、点灯継続時間の計測を再度開始又は終了する。
上記のように制御することにより、切り替え信号Ｊ１及びＪ２に対応する点灯継続時間を測定するタイマーを１つにすることが可能となる。
【００４１】
以上のように、本実施形態では、輝度設定部５０２１に予め記憶された輝度閾値よりも低い設定輝度が設定された場合に、複数のＣＣＦＬの一部を間引いて点灯させる（一部消灯状態）。そのため、液晶ディスプレイ１ｂの表示画面全体を画面輝度の下限値よりも低い設定輝度にした場合においても、消費電力を低減できる。また、予め記憶された輝度閾値として、カタホリシス現象が発生する画面輝度値以上の値を設定することから、カタホリシス現象は発生しない。更に一部消灯状態に移行する場合に、インバータ部２０ａが点灯しているＣＣＦＬに供給する電力を大きくするので、カタホリシス現象により表示品質を損なうことがない。このように、ＣＣＦＬが直下型に配置されている場合であっても、信号変換部４０が、画面輝度を均一にするようにビデオ信号Ｍを補正するようにしたので、表示品質を損なうことなく、消費電力を低減できる。
更に、本実施形態では、タイマー５０３、５０４を設け、制御部５０ｂの設定記憶部５０２２ｂに一部消灯状態の設定状態（切り替え信号Ｊ１、Ｊ２の状態及び切り替え信号Ｊ１、Ｊ２に対応する累積点灯時間）を記憶する。輝度制御部５０１ｂは、設定記憶部５０２２ｂに記憶された情報を基に、Ａ群のＣＣＦＬ１０１と１０３が点灯する一部消灯状態と、Ｂ群のＣＣＦＬ１０２と１０４が点灯する一部消灯状態の内、累積時間が短い方を使用する。そのため、バックライト部１０のＡ群とＢ群の累積点灯時間が略等しくなり、累積点灯時間に応じて変化する輝度差を低減することができる。また、Ａ群とＢ群の使用時間を平均させることができるため、ＣＣＦＬの交換間隔を延ばすことができる。
【００４２】
なお、本発明は、上記の各実施形態に限定されるものではなく、本発明の趣旨を逸脱しない範囲で変更可能である。上記の各実施形態において、バックライト部１０のＣＣＦＬの本数を４本の例で説明し、２組の群としたが、これに限定されるものではない。また、外部装置２は、パーソナルコンピュータ、ワークステーション、テレビチューナーなど、画像を表示するための表示信号Ｋを供給する装置であればどのような外部装置でも良く、また、液晶ディスプレイ１、１ａ、及び１ｂは外部装置２と一体になった形態でも良い。また、上記の各実施形態において、信号変換部４０に表示信号Ｋを供給する外部装置２が、制御部５０、５０ａ、及び５０ｂにも設定輝度を供給しているが、外部装置２とは異なる別の外部装置でも良いし、設定輝度が、使用者によるスイッチ操作により供給されるものでも良い。また、信号変換部４０は、大規模集積回路（ＬＳＩ）による形態でも良いし、その他の形態でも良い。また、ビデオ信号Ｍの輝度補正の処理は、信号変換部４０の変換テーブルに基づいて行う例を説明したが、その他の形態でも良い。
【００４３】
また、第２及び第３の実施形態において、パワーセーブ状態に移行する条件として、外部装置２に一定の期間操作が行われない場合、又は外部装置２が表示信号Ｋの出力を停止し、液晶ディスプレイ１ａが表示信号Ｋに含まれる同信号等の入力が無い場合の例を説明したが、これに限定されるものではない。また、第２及び第３の実施形態において、パワーセーブ状態は、スイッチング回路部２０４とトランス２０２、２０３への駆動信号線７４、７５の両方への出力を停止した状態の例を説明したが、これに限定されるものではなく、トランス２０２、２０３の出力線７１、７２への電力供給を停止してバックライト部１０が消灯している状態であれば、他の状態でも良い。例えば、スイッチング回路部２０４は動作させ、出力切り替え部２０１ａを遮断してトランス２０２、２０３への電力供給を停止させても良い。また、インバータ部２０ａの形態も第２及び第３の実施形態に限定されるものではなく、出力切り替え手段２０１ａを有し、出力線７１、７２への電力供給状態を切り替えることができる形態であれば、他の形態でも良い。
【００４４】
また、第２及び第３の実施形態において、パワーセーブ状態に移行し再び復帰する場合の動作について説明したが、液晶ディスプレイ１ａ（又は１ｂ）が電源遮断状態に移行し再び電源起動状態に復帰する場合にも適用できる。ただし、電源遮断状態に移行する場合は、電源遮断状態であっても移行前の保持すべき情報を保持することが望ましい。ここで保持すべき情報とは、第２の実施形態において切り替え信号Ｊ１、Ｊ２の状態であり、第３の実施形態において切り替え信号Ｊ１、Ｊ２の状態及びタイマー５０３、５０４が計測した点灯継続時間である。例えば、保持すべき情報を一時的に記憶する別の記憶部を設ける。別の記憶部には、通常時に輝度制御部５０１ａ（又は５０１ｂ）により保持すべき情報を定期的に記憶させる（例えば、１分毎や１秒毎）。設定記憶部５０２２（又は５０２２ｂ）と別の記憶部は、電源遮断状態においても記憶する情報を保持できる構成とする。電源遮断状態に移行する際、２つの状態からの移行が考えられる。１つは、ステップＳ１（又はＳ１ａ及びＳ２ａ）において切り替え信号Ｊ１、Ｊ２の状態（及び累積点灯時間）を設定記憶部５０２２（又は５０２２ｂ）に記憶させる処理が完了した状態から電源遮断状態に移行する場合である。この場合、再び電源起動状態に復帰する際にステップＳ４とＳ５（又はＳ４ａとＳ５ａ）の処理をさせることで対応できる。
もう１つは、ステップＳ１（又はＳ１ａ及びＳ２ａ）の処理が完了する前の状態から電源遮断状態に移行する場合である。この場合は、再び電源起動状態に復帰する際に、まず輝度制御部５０１ａ（又は５０１ｂ）は、別の記憶部が記憶する保持すべき情報を参照する。次に輝度制御部５０１ａ（又は５０１ｂ）は、切り替え信号Ｊ１、Ｊ２の状態（及び点灯継続時間より算出される累積点灯時間）を設定記憶部５０２２（又は５０２２ｂ）に記憶させる。その後、ステップＳ４とＳ５（又はＳ４ａとＳ５ａ）の処理を続けて行うようにすれば良い。なお、電源を遮断する際に、ステップＳ１（又はＳ１ａ及びＳ２ａ）の処理が行われているか否かの判定は、例えば、切り替え信号Ｊ１及びＪ２がＬ状態であることを示すフラグの判定処理によって判定する。
【００４５】
また、補助電源（例えば、電池）を使用して、ステップＳ１（又はＳ１ａ及びＳ２ａ）の処理が行われる期間だけ、制御部５０ａ（又は５０ｂ）の電源を保持しても良い。また、電源遮断状態への移行に際して、ステップＳ１（又はＳ１ａ及びＳ２ａ）の処理を継続させることが可能であれば、補助電源は不要となる。なお、電源遮断状態に移行させる場合、設定記憶部５０２２（又は５０２２ｂ）及び別の記憶部は、電源遮断状態において情報を保持するものであれば、いかなる形態でも良い。例えば、電気的に書き換え可能な不揮発性メモリ又はバックアップ電源を備えたＳＲＡＭ（Static Random Access Memory）でも良く、他の形態でも良い。また、別の記憶部は、設定記憶部５０２２（又は５０２２ｂ）とは別の記憶領域として記憶部５０２ａ（又は５０２ｂ）内に設けても良い。
【００４６】
また、第３の実施形態において、タイマー５０３、５０４は、制御部５０ｂに備えた形態で説明したが、これに限定されるものではなく、制御部５０ｂの外に備える形態でも良い。また、第３の実施形態において、ステップＳ２ａで累積点灯時間を設定記憶部５０２２ｂに記憶しているが、これに限定されるものではなく、ステップＳ１ａで記憶しても良い。
【符号の説明】
【００４７】
１、１ａ、１ｂ  液晶ディスプレイ
１０  バックライト部
２０、２０ａ  インバータ部
３０  パネル部
４０  信号変換部
５０、５０ａ、５０ｂ  制御部
１０１〜１０４  ＣＣＦＬ
２０１、２０１ａ  出力切り替え部
２０２、２０３  トランス
２０４  スイッチング回路部
２０５  制御回路部
２０６、２０７  スイッチ
３０１  信号受信部
５０１、５０１ａ、５０１ｂ  輝度制御部
５０２、５０２ａ、５０２ｂ  記憶部
５０２１  輝度設定部
５０２２、５０２２ｂ  設定記憶部
５０３、５０４  タイマー
【図１】
2011086590.tif 000003
【図２】
2011086590.tif 000004
【図３】
2011086590.tif 000005
【図４】
2011086590.tif 000006
【図５】
2011086590.tif 000007
【図６】
2011086590.tif 000008
【国際調査報告】
2011086590.tif 000009
2011086590.tif 000010